(57)【特許請求の範囲】
【請求項１】
１本の電線から成る第１信号電線と、
１本の電線から成る第２信号電線と、
前記第１信号電線と前記第２信号電線とが互いに縒り合わされた状態で巻き回される磁性体コアと、
を備えるコモンモードチョークコイル。
【請求項２】
請求項１に記載のコモンモードチョークコイルであって、
前記第１信号電線の前記磁性体コアに対する巻き方向と、前記第２信号電線の前記磁性体コアに対する巻き方向とが同じ方向であるコモンモードチョークコイル。
【請求項３】
請求項１または２に記載のコモンモードチョークコイルであって、
前記第１信号電線と前記第２信号電線とが縒り合わされる回数が２以上であるコモンモードチョークコイル。
【請求項４】
請求項１ないし３のいずれかに記載のコモンモードチョークコイルであって、
縒り合わされた状態の前記第１信号電線および第２信号電線が前記磁性体コアに巻き回される回数が２以上であるコモンモードチョークコイル。
【請求項５】
請求項１ないし４のいずれかに記載のコモンモードチョークコイルであって、
互いに縒り合わされた状態の前記第１信号電線および前記第２信号電線は、前記磁性体コアに対して直接巻き回されるコモンモードチョークコイル。
【請求項６】
請求項１ないし５のいずれかに記載のコモンモードチョークコイルであって、
互いに縒り合わされた状態の前記第１信号電線および前記第２信号電線のみが前記磁性体コアに対して巻き回されるコモンモードチョークコイル。
【発明の詳細な説明】
【技術分野】
【０００１】
本発明は、電磁ノイズの対策などに使われる電子部品であるコモンモードチョークコイルの技術に関するものである。
【背景技術】
【０００２】
従来より、差動信号伝送におけるノイズ対策として、コモンモードチョークコイルを用いる技術が提案されている。信号伝送ラインでノイズ対策に使われるコモンモードチョークコイルでは、両ライン間に浮遊容量が発生するという問題がある。また、ディファレンシャル電流でインダクタンスが発生すると伝送インピーダンスが高くなり、伝送する信号の波形が歪むという問題もある。すなわち、信号品質（SI:Signal Integrity）を向上させるためには、伝送線路間の浮遊容量が小さく、かつ、ディファレンシャル電流で発生するインダクタンスが小さいコモンモードチョークコイルが求められている。
【０００３】
一般的なバイファイラー巻きのコモンモードチョークコイルでは、２本のラインが交互に隣接する状態で巻かれており、それぞれのラインがコイルを形成している。そして、このようなコモンモードチョークコイルにおいて、インピーダンスを大きくするためには、巻数を増やす必要がある。しかし、バイファイラー巻きのコモンモードチョークコイルは、２本のラインが近接して巻かれているため、巻数を増やすと、両ライン間の浮遊容量が増大する。
【０００４】
そこで、インピーダンスを大きくしても（巻数を増やしても）浮遊容量を増大させることのないコモンモードチョークコイルが、例えば、特許文献１に記載されている。特許文献１に記載されているコモンモードチョークコイルは、各ラインにより形成されるコイルが直線上に分割して配置される構造である。すなわち、各コイルがコアの両端に離れて存在しているため、両ラインが近接する部分は少なく、巻数を増やしても当該部分は増加しない。
【先行技術文献】
【特許文献】
【０００５】
【特許文献１】特開２０１３−０６２４７７号公報
【発明の概要】
【発明が解決しようとする課題】
【０００６】
ところが、特許文献１に記載されている技術をもってしても、さらなる伝送速度の高速化に対応するためには、両ライン間の浮遊容量を小さくするだけでは信号品質が充分でないという問題があった。
【０００７】
例えば、両ラインによってそれぞれ形成されるコイルの回路における結合係数（理想的には１．０）が低下することによっても、伝送される信号品質は低下する。特に、特許文献１に記載されているコモンモードチョークコイルでは、両コイルが離れて配置されているため浮遊容量は下げられるが、結合係数が小さくなり、これによって差動信号の波形が歪むという問題があった。
【０００８】
本発明は、上記課題に鑑みてなされたものであり、高速電送における信号でも波形を歪ませずに差動信号ラインのノイズ対策をすることが可能なコモンモードチョークコイルに関する技術を提供することを目的とする。
【課題を解決するための手段】
【０００９】
上記の課題を解決するため、請求項１の発明は、コモンモードチョークコイルであって、１本の電線から成る第１信号電線と、１本の電線から成る第２信号電線と、前記第１信号電線と前記第２信号電線とが互いに縒り合わされた状態で巻き回される磁性体コアとを備える。
【００１０】
また、請求項２の発明は、請求項１の発明に係るコモンモードチョークコイルであって、前記第１信号電線の前記磁性体コアに対する巻き方向と、前記第２信号電線の前記磁性体コアに対する巻き方向とが同じ方向である。
【００１１】
また、請求項３の発明は、請求項１または２の発明に係るコモンモードチョークコイルであって、前記第１信号電線と前記第２信号電線とが縒り合わされる回数が２以上である。
【００１２】
また、請求項４の発明は、請求項１ないし３のいずれかの発明に係るコモンモードチョークコイルであって、縒り合わされた状態の前記第１信号電線および第２信号電線が前記磁性体コアに巻き回される回数が２以上である。
また、請求項５の発明は、請求項１ないし４のいずれかの発明に係るコモンモードチョークコイルであって、互いに縒り合わされた状態の前記第１信号電線および前記第２信号電線は、前記磁性体コアに対して直接巻き回される。
また、請求項６の発明は、請求項１ないし５のいずれかの発明に係るコモンモードチョークコイルであって、互いに縒り合わされた状態の前記第１信号電線および前記第２信号電線のみが前記磁性体コアに対して巻き回される。
【発明の効果】
【００１４】
請求項１ないし６に記載の発明は、１本の電線から成る第１信号電線と１本の電線から成る第２信号電線とが互いに縒り合わされた状態で巻き回される磁性体コアを備えることにより、浮遊容量を抑制しつつ、第１信号電線により形成されるコイルと第２信号電線により形成されるコイルとの結合係数の低下を抑制することができる。
【図面の簡単な説明】
【００１６】
【図１】コモンモードチョークコイルを示す図である。
【図２】図１に示すコモンモードチョークコイルを（−Ｚ）側から（＋Ｚ）方向に向かって見た状態を示す図である。
【図３】図１に示すコモンモードチョークコイルを（＋Ｘ）側から（−Ｘ）方向に向かって見た図である。
【図４】コモンモードチョークコイルの製造方法を示す流れ図である。
【図５】従来のバイファイラー巻きのコモンモードチョークコイルにおいて、コモンモードインピーダンスと浮遊容量との関係を例示する図である。
【図６】浮遊容量が０［ｐＦ］のときの差動信号の波形を示す図である。
【図７】浮遊容量が１［ｐＦ］のときの差動信号の波形を示す図である。
【図８】浮遊容量が２［ｐＦ］のときの差動信号の波形を示す図である。
【図９】浮遊容量が５［ｐＦ］のときの差動信号の波形を示す図である。
【図１０】浮遊容量が１０［ｐＦ］のときの差動信号の波形を示す図である。
【図１１】コモンモードチョークコイルのインピーダンスの周波数特性を示す図である。
【図１２】コモンモードチョークコイルに差動信号を入力したときのシミュレーション結果を示す図である。
【図１３】図１２に示すシミュレーション結果を得たときの回路を示す図である。
【発明を実施するための形態】
【００１７】
以下、本発明の好適な実施の形態について、添付の図面を参照しつつ、詳細に説明する。ただし、以下の説明において特に断らない限り、方向や向きに関する記述は、当該説明の便宜上、図面に対応するものであり、例えば実施品、製品または権利範囲等を限定するものではない。
【００１８】
＜１．  実施の形態＞
図１は、コモンモードチョークコイル１を示す図である。また、図２は、図１に示すコモンモードチョークコイル１を（−Ｚ）方向から（＋Ｚ）方向に向かって見た状態を示す図である。さらに、図３は、図１に示すコモンモードチョークコイル１を（＋Ｘ）方向から（−Ｘ）方向に向かって見た図である。
【００１９】
図１ないし図３に示すように、コモンモードチョークコイル１は、第１信号電線２と、第２信号電線３と、磁性体コア４と、バーコア５と、４つの電極６，７，８，９とを備えている。本実施の形態におけるコモンモードチョークコイル１は、チップ状の電子部品であり、信号を伝送するときのコモンモードにおけるノイズを除去するための電子部品として構成されている。
【００２０】
磁性体コア４は、例えば、フェライトなどの磁性体材料で構成された部材である。本実施の形態における磁性体コア４は、当該磁性体材料によって一体成形された部材（一体構造物）であるが、例えば、複数の部品を組み合わせる構造であってもよい。磁性体コア４には、略円筒形状の部分を構成する中芯部４０と、略直方体形状の部分を構成する顎部４１，４２とが形成されている。
【００２１】
磁性体コア４の中芯部４０は、円筒の中心軸がＸ軸方向と略平行となるように配置されている。言い換えれば、中芯部４０は、磁性体コア４において、Ｘ軸方向に沿って延びる向きに配置されている。図１および図２に示すように、中芯部４０の円筒側面には、第１信号電線２と第２信号電線３とが互いに縒り合わされた状態で巻き回されている。
【００２２】
本実施の形態における顎部４１および顎部４２は、磁性体コア４に形成れる略同一形状の部分であり、図３に示すように、ＹＺ平面に平行な断面が正方形の一部を切り欠いた形状となっている。すなわち、顎部４１および顎部４２の（−Ｚ）側には、それぞれ２本の橋脚状の突起部（（−Ｚ）方向に突出した部分。以下、単に「突起部」と称する。）が形成されている。そして、各突起部の（−Ｚ）側の先端部分は、ＸＹ平面に略平行な平面を形成している。
【００２３】
磁性体コア４の顎部４１は、Ｘ軸方向に沿って延びる中芯部４０の（−Ｘ）側端部に形成される部分である。顎部４１の２本の突起部の先端部には、ＸＹ平面に略平行となるように、それぞれ薄板状の電極６および電極８が取り付けられている。本実施の形態では、電極６が（−Ｙ）側に配置されており、電極８が（＋Ｙ）側に配置されている。また、顎部４１において、電極６と電極８とは、互いに接することなく絶縁されている。
【００２４】
磁性体コア４の顎部４２は、Ｘ軸方向に沿って延びる中芯部４０の（＋Ｘ）側端部に形成される部分である。顎部４２の２本の突起部の先端部には、ＸＹ平面に略平行となるように、それぞれ薄板状の電極７および電極９が取り付けられている。本実施の形態では、電極７が（−Ｙ）側に配置されており、電極９が（＋Ｙ）側に配置されている。また、顎部４２において、電極７と電極９とは、互いに接することなく絶縁されている。
【００２５】
図１および図２に示すように、第１信号電線２と第２信号電線３とは、磁性体コア４に巻き回される部分（巻線を形成する部分）において、互いに縒り合わされた状態となっている。より詳細には、当該部分において、第１信号電線２と第２信号電線３とが縒り合わされる回数は２以上である。また、第１信号電線２および第２信号電線３は、磁性体コア４に直巻きされている。
【００２６】
また、詳細は図示していないが、第１信号電線２および第２信号電線３は、いずれも絶縁性の皮膜（例えば、エナメルなどの誘電率の低い素材が好ましい。）により被覆されている。したがって、第１信号電線２と第２信号電線３とは、少なくとも磁性体コア４に対する巻線を形成する部分において、互いに絶縁されている。すなわち、第１信号電線２と第２信号電線３とは、巻線を形成する部分において、いわゆるツイストペア線を構成している。
【００２７】
なお、巻線としての第１信号電線２および第２信号電線３は、互いに略同一の長さであることが好ましい。例えば、第１信号電線２を直線状に配置し、これに第２信号電線２を螺旋状に巻き付けると、第１信号電線２の巻線としての長さと第２信号電線３の巻線としての長さとが異なる状態となるため好ましくない。また、浮遊容量の位置による乱れ（不均一）を抑制するためには、単位長さ当たりの縒り数が均等になるように縒ることが好ましい。逆に、浮遊容量において位置による乱れが生じる場合には、単位長さ当たりの縒り数を調整して、浮遊容量が均等になるように構成してもよい。
【００２８】
第１信号電線２と第２信号電線３とが磁性体コア４に対する巻線を形成している部分においては、互いに縒り合わされた第１信号電線２および第２信号電線３は、磁性体コア４の中芯部４０の円筒外周面に沿って、螺旋を描くように当該中芯部４０に複数回（２以上）巻き付けられている。これによって、第１信号電線２の磁性体コア４に対する巻き方向と、第２信号電線３の磁性体コア４に対する巻き方向とが常に同じ方向となっている。また、第１信号電線２の磁性体コア４に対する巻き方向、および、第２信号電線３の磁性体コア４に対する巻き方向は、いずれも途中で変化することなく、一定の方向に巻かれている。
【００２９】
図２に示すように、第１信号電線２の（−Ｘ）側の端部は、電極８の（＋Ｘ）側の面に電気的に接続されている。また、第１信号電線２の（＋Ｘ）側の端部は、電極９の（−Ｘ）側の面に電気的に接続されている。同様に、第２信号電線３の（−Ｘ）側の端部は、電極６の（＋Ｘ）側の面に電気的に接続されている。また、第２信号電線３の（＋Ｘ）側の端部は、電極７の（−Ｘ）側の面に電気的に接続されている。これにより、電極６，７，８，９は、コモンモードチョークコイル１に対する入出力端子を構成している。
【００３０】
バーコア５は、磁性体コア４と同様に磁性体の材料で形成される部材であって、図１に示すように、磁性体コア４の顎部４１と顎部４２との間に掛け渡される部材である。バーコア５は、顎部４１および顎部４２に、例えば、適当な接着剤などで接合される。バーコア５は、磁性体コア４の両端（顎部４１，４２）を、磁気的に短絡して閉回路を形成する機能を有している。
【００３１】
以上が、コモンモードチョークコイル１の構造の説明である。次に、コモンモードチョークコイル１の製造方法について説明する。
【００３２】
図４は、コモンモードチョークコイル１の製造方法を示す流れ図である。図４に示す工程が開始されるまでに、第１信号電線２、第２信号電線３、磁性体コア４およびバーコア５が、それぞれ部品として別途製造されており、かつ、磁性体コア４の各突起部には所定の電極６，７，８，９がすでに取り付けられているものとする。これらの製造方法は、従来の技術を適宜採用できるため、ここでは説明を省略する。
【００３３】
まず、第１信号電線２と第２信号電線３とを互いに縒り合わせる（ステップＳ１）。ステップＳ１に示す工程は、例えば、従来より縒り線（ツイストペア線）を製造する工程と同様の工程により実現することができる。
【００３４】
次に、縒り合わされた状態の第１信号電線２および第２信号電線３の同一方向端部（対を形成する端部）をそれぞれ適当な長さとなるように引き出して、溶着などにより所定の電極に接続する（ステップＳ２）。本実施の形態では、ステップＳ２において、第１信号電線２の端部を電極８に接続し、第２信号電線３の端部を電極６に接続する。ただし、これに限定されるものではなく、例えば、第１信号電線２の端部を電極９に接続し、第２信号電線３の端部を電極７に接続してもよい。
【００３５】
ステップＳ２が終了すると、中芯部４０の円筒中心軸を回転の中心軸として磁性体コア４を回転させ、当該中芯部４０に、縒り合わされた状態の第１信号電線２および第２信号電線３を巻き取らせる（ステップＳ３）。これにより、縒り合わされた状態の第１信号電線２および第２信号電線３が磁性体コア４に巻き回される。
【００３６】
従来の技術では、磁性体コアに対して、一対の信号線を別々に巻き回したり、互いに逆向きに巻いたりする必要があったため、その製造工程が複雑化し、コスト増を招来するという問題があった。しかし、本実施の形態におけるコモンモードチョークコイル１は、第１信号電線２および第２信号電線３の磁性体コア４に対する巻き方向が同一である。これにより、コモンモードチョークコイル１を製造するときには、第１信号電線２および第２信号電線３をあたかも１本の信号線のように扱い、いわば２つの信号電線を束ねた状態で一気に巻き回すことができる。したがって、コモンモードチョークコイル１の製造方法は、従来の技術に比べて簡素であり、コモンモードチョークコイル１の製造コストを抑制することができる。
【００３７】
次に、第１信号電線２および第２信号電線３の残りの端部をそれぞれ適当な長さに引き出して、電極に接続する（ステップＳ４）。例えば、ステップＳ４において、第１信号電線２の端部を電極９に接続し、第２信号電線３の端部を電極７に接続する。ステップＳ４を実行することにより、第１信号電線２および第２信号電線３の、磁性体コア４への取り付けが完了する。
【００３８】
第１信号電線２および第２信号電線３の取り付け（巻き回し）が完了すると、適当な接着剤などを用いて、バーコア５を磁性体コア４の顎部４１，４２に接合する（ステップＳ５）。バーコア５を取り付けることにより、磁性体コア４の両端（顎部４１，４２）を、磁気的に短絡させることができる。
【００３９】
以上のように、図４に示す製造方法を実施することによって、コモンモードチョークコイル１を製造することができる。また、当該製造方法は、複雑な工程を要することなく、コモンモードチョークコイル１を製造することができるので、製造されるコモンモードチョークコイル１のコストを抑制することができる。
【００４０】
一般的に、コモンモードチョークコイルにおいて信号品質（ＳＩ）の低下は、信号線間の浮遊容量の発生や、ディファレンシャルインダクタンスの発生による特性インピーダンスの乱れ、あるいは、２つのコイル間の結合係数など、様々な要因が複雑に影響して生じるものである。従来のバイファイラー巻き（２本の信号線が交互に配置されるように巻く方式）のコモンモードチョークコイルにおいて、浮遊容量は巻線の長さに比例し、コモンモードインダクタンスは線の長さの２乗に比例する。
【００４１】
図５は、従来のバイファイラー巻きのコモンモードチョークコイルにおいて、コモンモードインピーダンスと浮遊容量との関係を例示する図である。
【００４２】
従来のバイファイラー巻きのコモンモードチョークコイルでは、１００［ＭＨｚ］におけるコモンモードインピーダンスを２６０［Ω］としたとき、発生する浮遊容量は、３．８［ｐＦ］程度であった。また、このときの両ライン間の結合係数は０．９８７であった。従来のバイファイラー巻きのコモンモードチョークコイルは、両ラインが近接して配置されおり、両ライン間の結合は高い。
【００４３】
図６ないし図１０は、ライン間の浮遊容量の値によって差動信号の波形がどのように変化するかを例示する図である。図６は、浮遊容量が０［ｐＦ］のときの差動信号の波形を示す図である。図７は、浮遊容量が１［ｐＦ］のときの差動信号の波形を示す図である。図８は、浮遊容量が２［ｐＦ］のときの差動信号の波形を示す図である。図９は、浮遊容量が５［ｐＦ］のときの差動信号の波形を示す図である。図１０は、浮遊容量が１０［ｐＦ］のときの差動信号の波形を示す図である。なお、図６ないし図１０に示す例は、伝送速度が５００［Ｍｂｐｓ］、特性インピーダンスが１００［Ω］のときの波形を示している。
【００４４】
図６ないし図１０によれば、浮遊容量が大きくなるにしたがって差動信号の波形が大きく歪むことがわかる。一般に、浮遊容量を２［ｐＦ］以内に抑制しなければ、コモンモードチョークコイルとして実用に耐える製品とはならない。そして、浮遊容量を２［ｐＦ］以内とするには、従来のバイファイラー巻きのコモンモードチョークコイルでは、１００［ＭＨｚ］におけるコモンモードインピーダンスを１００［Ω］程度にしか大きくすることができない（図５参照）。
【００４５】
一方、特開２０１３−０６２４７７号公報に記載されている分割巻きのコモンモードチョークコイルでは、１００［ＭＨｚ］におけるコモンモードインピーダンスを２８３［Ω］としたとき、発生する浮遊容量が、１．５［ｐＦ］である例が示されている。すなわち、分割巻きのコモンモードチョークコイルは、従来のバイファイラー巻きに比べて、浮遊容量が１／２ないし１／３程度にまで低下する。また、このときの両ライン間の結合係数は０．８５７である。分割巻きのコモンモードチョークコイルは、両ラインがコアの両端に離れて配置されているため、両ライン間の結合係数は低くなると考えられる。
【００４６】
本実施の形態におけるコモンモードチョークコイル１は、第１信号電線２と第２信号電線３とを互いに縒り合わせた状態で巻き付ける構造であり、１００［ＭＨｚ］におけるコモンモードインピーダンスを２４０［Ω］としたとき、発生する浮遊容量は、１．５９［ｐＦ］であった。このように、コモンモードチョークコイル１は、従来のバイファイラー巻きに比べて、浮遊容量が１／２ないし１／３程度にまで低下することが実験により確かめられた。また、このときの両ライン間の結合係数は０．９７であった。
【００４７】
すなわち、浮遊容量を抑制する性能に関して、コモンモードチョークコイル１は、分割巻きのコモンモードチョークコイルと同等であることが分かった。また、コモンモードチョークコイル１における結合係数については、従来のバイファイラー巻きのコモンモードチョークコイルと同等であることが分かった。本実施の形態におけるコモンモードチョークコイル１は、第１信号電線２と第２信号電線３とが互いに近接して配置されるため、結合係数が高いと考えられる。
【００４８】
本実施の形態におけるコモンモードチョークコイル１は、従来のバイファイラー巻きのコモンモードチョークコイルに比べて浮遊容量が１／２ないし１／３程度にまで低下することから、巻き数を増やして線の長さを延ばし、同程度の浮遊容量で、２の２乗倍（４倍）から３の２乗倍（９倍）程度のコモンモードインピーダンスとすることができる。また、この場合の結合係数も高く、結合係数の低下による信号品質の低下も抑制されている。したがって、本実施の形態におけるコモンモードチョークコイル１を用いれば、高速伝送においても、有効なノイズ対策が可能となる。
【００４９】
図１１は、コモンモードチョークコイル１のインピーダンスＺ［Ω］の周波数特性を示す図である。図１１では、ノーマルモードにおける周波数特性と、コモンモードにおける周波数特性とを示す。
【００５０】
図１１を見れば、コモンモードチョークコイル１は、同一の周波数において、ノーマルモードにおけるインピーダンスとコモンモードにおけるインピーダンスとの差は大きいことがわかる。したがって、コモンモードチョークコイル１は、周波数が５００［ＭＨｚ］程度においても、充分な特性を備えている。
【００５１】
図１２は、コモンモードチョークコイル１に差動信号を入力したときのシミュレーション結果を示す図である。また、図１３は、図１２に示すシミュレーション結果を得たときの回路を示す図である。
【００５２】
図１２を見れば、コモンモードチョークコイル１において、５００［Ｍｂｐｓ］における差動信号の立ち上がりは急峻であり、差動信号の歪みが抑制されている。したがって、高速伝送におけるノイズ対策においてコモンモードチョークコイル１が有効であることがわかる。
【００５３】
以上のように、本実施の形態におけるコモンモードチョークコイル１は、第１信号電線２と、第２信号電線３と、第１信号電線２と第２信号電線３とが互いに縒り合わされた状態で巻き回される磁性体コア４とを備えることにより、浮遊容量を抑制しつつ、第１信号電線２により形成されるコイルと第２信号電線３により形成されるコイルとの結合係数の低下を抑制することができる。したがって、従来の技術に比べて、高速伝送においても有効なノイズ対策が可能となる。
【００５４】
また、コモンモードチョークコイル１は、第１信号電線２の磁性体コア４に対する巻き方向と、第２信号電線３の磁性体コア４に対する巻き方向とが同じ方向であることにより、製造工程を簡素化することができる。
【００５５】
＜２．  変形例＞
以上、本発明の実施の形態について説明してきたが、本発明は上記実施の形態に限定されるものではなく様々な変形が可能である。
【００５６】
例えば、上記実施の形態に示した各工程は、あくまでも例示であって、同様の効果が得られるならば、適宜、順序や内容が変更されてもよい。例えば、縒り線を磁性体コア４に巻くときに、磁性体コア４を固定して縒り線を移動させてもよい。あるいは、第１信号電線２と第２信号電線３とを縒り合わせながら、磁性体コア４を回転させることにより巻き回してもよい。すなわち、縒り合わせる工程と巻き回す工程とが同時並行的に実行されてもよい。
【００５７】
また、上記実施の形態では、第１信号電線２と第２信号電線３とが互いに縒り合わされたままで磁性体コア４の中芯部４０に巻き回されている例について説明した。しかし、例えば、第１信号電線２と第２信号電線３とを縒り合わせた状態で、さらに、誘電率の小さい絶縁材料で被覆絶縁し、外見上、第１信号電線２および第２信号電線３とが１本のケーブルを構成しているかのように構成してから、磁性体コア４に巻き回してもよい。このような構造を採用することにより、巻線（第１信号電線２および第２信号電線３）の乱れや緩みを緩和することができる。
【００５８】
また、第１信号電線２および第２信号電線３の端部を、それぞれ電極６，７，８，９に電気的に接続するときに、必ずしも電極６，７，８，９の側面（ＹＺ平面に略平行な面）に接続しなければならないわけではない。例えば、（−Ｚ）側に露出した面（底面）に接続してもよい。すなわち、製造工程（組み立て工程）が簡素化でき、かつ、接続箇所（溶接箇所）が容易に外れたりしないように取り付けられるのであれば、どのように接続してもよい。
【符号の説明】
【００５９】
１  コモンモードチョークコイル
２  第１信号電線
３  第２信号電線
４  磁性体コア
４０  中芯部
４１，４２  顎部
５  バーコア
６，７，８，９  電極
【要約】
【課題】伝送ライン間の浮遊容量を小さくするとともに、ディファレンシャル電流で発生するディファレンシャルインダクタンスを抑制するコモンモードチョークコイルを提供する。
【解決手段】コモンモードチョークコイル１に、伝送ラインを構成する第１信号電線２および第２信号電線３と、第１信号電線２と第２信号電線３とが互いに縒り合わされた状態で巻き回される磁性体コア４と、磁性体コア４を磁気的に短絡するバーコア５とを設ける。磁性体コア４１の顎部４１，４２には、それぞれ電極６，８および電極７，９を取り付ける。第１信号電線２および第２信号電線３の端部は、磁性体コア４に取り付けられた電極６，７，８，９に、それぞれ電気的に接続する。
【選択図】  図１【図１】
0005558609.tif 000002
【図２】
0005558609.tif 000003
【図３】
0005558609.tif 000004
【図４】
0005558609.tif 000005
【図５】
0005558609.tif 000006
【図６】
0005558609.tif 000007
【図７】
0005558609.tif 000008
【図８】
0005558609.tif 000009
【図９】
0005558609.tif 000010
【図１０】
0005558609.tif 000011
【図１１】
0005558609.tif 000012
【図１２】
0005558609.tif 000013
【図１３】
0005558609.tif 000014